(57)【要約】【課題】本発明の第１の目的は、小型の紙幣一括払出装置に適した紙幣シャッタを提供することである。本発明の第２の目的は、紙幣シャッタを備えた小型の紙幣一括払出装置を提供することである。本発明の第３の目的は、紙幣シャッタを備えた小型の紙幣一括払出装置を安価に提供することである。【解決手段】保留部から払出口へ紙幣を案内する紙幣通路の前記払出口の直前に配置したシャッタ装置であって、前記シャッタ装置は、紙幣払出時に前記払出口側へ回転される回転軸、前記回転軸に取り付けられたワンウエイクラッチ、前記ワンウエイクラッチに取り付けられ、かつ、前記紙幣通路を横断可能な閉止位置と前記紙幣通路の開放位置に移動可能なレバーを含み、前記ワンウエイクラッチは、前記回転軸が払出口側への回転時に前記レバーが払出口側へ回動可能である紙幣のシャッタ装置である。【選択図】図４
2004348603.tif 000002
【特許請求の範囲】
【請求項１】
保留部（２）から払出口（１３）へ紙幣（４）を案内する紙幣通路（３２）の前記払出口（１３）の直前に配置したシャッタ装置（１６）であって、前記シャッタ装置（１６）は、紙幣払出時に前記払出口（１３）側へ回転される回転軸（９０）、前記回転軸（９０）に取り付けられたワンウエイクラッチ（９２）、前記ワンウエイクラッチ（９２）に取り付けられ、かつ、前記紙幣通路（３２）を横断可能な閉止位置（１２４）と前記紙幣通路（３２）の開放位置（１２８）に移動可能なレバー（９４）を含み、前記ワンウエイクラッチ（９２）は、前記回転軸（９０）が払出口（１３）側への回転時に前記レバー（９４）が払出口（１３）側へ回動可能である紙幣のシャッタ装置。
【請求項２】
保留部（２）から一枚ずつ送り出される紙幣（４）を搬送する搬送装置（６）、前記搬送装置（６）によって送り込まれた紙幣（４）を一時保留する払出前保留部（１２）、前記払出前保留部（１２）につながっている払出口（１３）、前記払出前保留部（１２）から前記払出口（１３）への通路（３２）に位置し、前記通路（３２）の閉止位置（１２４）と解放位置（１２８）に移動可能なシャッタ装置（１６）、前記シャッタ装置（１６）は、紙幣払出時に前記払出口（１３）側へ回転される回転軸（９０）、前記回転軸（９０）に取り付けられたワンウエイクラッチ（９２）、前記ワンウエイクラッチ（９２）に取り付けられ、かつ、前記紙幣通路（３２）を横断可能な閉止位置（１２４）と前記紙幣通路（３２）の開放位置（１２８）に移動可能なレバー（９４）を含み、前記ワンウエイクラッチ（９２）は、前記回転軸（９０）が払出口（１３）側への回転時に前記レバー（９４）が払出口（１３）側へ回動可能であり、
前記払出前保留部（１２）に保留された紙幣（４）を前記払出口（１３）に送り出す払出装置（１４）、前記搬送装置（６）の逆転動により前記払出装置（３２）を駆動する搬送払出連動装置（３８）、前記払出装置（１４）の紙幣払出動作に連動して前記前記回転軸（９０）が回転される紙幣のシャッタ装置を備える紙幣一括払出装置。
【請求項３】
前記搬送払出連動装置（３８）は、搬送装置（６）を駆動する回転軸（６２）、前記回転軸（６２）の正転時に駆動連結せず、逆転時に前記搬送装置（６）と前記払出装置（１４）とを駆動連結するクラッチ（７１）を含む請求項２の紙幣のシャッタ装置を備えた紙幣一括払出装置。
【請求項４】
前記クラッチ（７１）は、前記回転軸（６２）に固定されたドライブギヤ（６４）、前記回転軸（６４）に支持され、かつ、回動可能なレバー（６８）、前記レバー（６８）に回転自在に取り付けられ、かつ、前記ギヤ（６４）と噛み合うピニオンギヤ（６６）、前記ピニオンギヤ（６６）と噛み合い可能、かつ、前記払出装置（１４）に駆動連結されたドリブンギヤ（７０）、及び前記レバー（６８）を回動するアクチュエータ（７４）を含む請求項３の紙幣のシャッタ装置を備えた紙幣一括払出装置。
【発明の詳細な説明】
【０００１】
【発明が属する技術分野】
本発明は、自動販売機や両替装置に用いられる小型の紙幣一括払出装置に用いる紙幣シャッタに関する。
詳しくは、払い出す紙幣を一時保留し、まとめて払い出す小型の紙幣一括払出装置の紙幣シャッタに関する。
さらに詳しくは、簡単な構造、かつ、安価な小型の紙幣一括払出装置に関する。
【０００２】
【従来の技術】
第１の従来技術の一つとして、一時保留室に複数の紙幣を送り込んで積み重ねた後、一時保留室の底を上昇させ、ベルトに形成した突起で紙幣の後端を押し出すようにしたものが知られている（例えば、特許資料１参照。）。
第２の従来技術として、シャッタを閉じた状態でガイドによって案内して払出ベルト上に複数の紙幣を一時保留した後、シャッタの解放と連動してガイドを移動させて払出ベルトに紙幣を圧接することにより、一時保留した紙幣を払い出すものが知られている（例えば、特許資料２参照。）。
【０００３】
【特許資料１】
特開平８―１５３２３４号公報（図３、５、頁３―５）
【特許資料２】
特開平８―２２１６３０号公報（図１、２、頁３−４）
【０００４】
第１の従来技術は、別に設けた搬送装置によって紙幣の保留部からの紙幣を一時保留室に送り込み、この一時保留室の底を上昇させて払出可能にした後、前記搬送装置とは別の駆動源によって駆動される払出装置によって払い出すので、搬送装置によって高速で送り込まれた紙幣が飛び出さないよう底の上下動量を大きくする必要がある。
結果として、底の移動量が大きいため、装置が大型になる問題がある。
【０００５】
第２の従来技術は、紙幣のガイドが送り出しのサポートも兼ねるため移動せねばならず、大型になる問題がある。
【０００６】
【発明が解決しようとする課題】
本発明の第１の目的は、小型の紙幣一括払出装置に適した紙幣のシャッタ装置を提供することである。
本発明の第２の目的は、紙幣のシャッタ装置を備えた小型の紙幣一括払出装置を提供することである。
本発明の第３の目的は、紙幣のシャッタ装置を備えた小型の紙幣一括払出装置を安価に提供することである。
【０００７】
【課題を解決するための手段】
この目的を達成するため請求項１の発明は、以下のように構成されている。
保留部から払出口へ紙幣を案内する紙幣通路の前記払出口の直前に配置したシャッタ装置であって、前記シャッタ装置は、紙幣払出時に前記払出口側へ回転される回転軸、前記回転軸に取り付けられたワンウエイクラッチ、前記ワンウエイクラッチ取り付けられ、かつ、前記紙幣通路を横断可能な閉止位置と前記紙幣通路の開放位置に移動可能なレバーを含み、前記ワンウエイクラッチは、前記回転軸が払出口側への回転時に前記レバーが払出口側へ回動可能である紙幣のシャッタ装置である。
【０００８】
この構成において、紙幣通路に位置するレバーは、ワンウエイクラッチを介して取り付けられている回転軸が払出口側へ回転しない場合、開放位置に移動することができない。
したがって、紙幣を保留部から払出前保留部に払い出している場合、回転軸は回転されていないので、払出前保留部に勢いよく送り込まれた紙幣は、紙幣通路に位置するレバーによって払出口への飛び出しを阻止される。
【０００９】
紙幣が払出口へ払い出される場合、回転軸が払出口側へ回転されるので、レバーが紙幣で押された場合、容易に払出口側へ回動されて開放位置に移動する。
結果として、紙幣は払出口に搬送されて、引き取られる。
これにより、レバーが回動して紙幣通路の閉止位置と開放位置に移動するので、その移動スペースは小さい。
換言すると、レバーは、その回動中心である回転軸よりも反対側に移動せずとも紙幣が払い出されるので、紙幣飛び出し防止のための占有スペースが小さい利点がある。
結果として、紙幣一括払出装置を小型化することができる。
また、回転軸、ワンウエイクラッチ及びレバーの組み合わせであるので、構造が簡単であり、安価である。
【００１０】
請求項２の発明は、保留部から一枚ずつ送り出される紙幣を搬送する搬送装置、前記搬送装置によって送り込まれた紙幣を一時保留する払出前保留部、前記払出前保留部につながっている払出口、前記払出前保留部から前記払出口への通路に位置し、前記通路の閉止位置と解放位置に移動可能なシャッタ装置、前記シャッタ装置は、紙幣払出時に前記払出口側へ回転される回転軸、前記回転軸に取り付けられたワンウエイクラッチ、前記ワンウエイクラッチに取り付けられ、かつ、前記紙幣通路を横断可能な閉止位置と前記紙幣通路の開放位置に移動可能なレバーを含み、前記ワンウエイクラッチは、前記回転軸が払出口側への回転時に前記レバーが払出口側へ回動可能であり、前記払出前保留部に保留された紙幣を前記払出口に送り出す払出装置、前記搬送装置の逆転動により前記払出装置を駆動する搬送払出連動装置、前記払出装置の紙幣払出動作に連動して前記前記回転軸が回転される紙幣のシャッタ装置を備える紙幣一括払出装置である。
【００１１】
この構造において、紙幣が払い出される場合、搬送装置によって保留部から一枚ずつ払出前保留部に送り込まれる。
このとき、搬送装置は正転であるので搬送払出連動装置を介して払出装置は払出動作をしない。
したがって、シャッタ装置のレバーは紙幣通路の閉止位置にあるので、払出前保留部に送り込まれた紙幣は、このレバーに阻止されて払出口に飛び出すことはない。
【００１２】
払い出しのための紙幣が払出前保留部に保留された後、搬送装置が逆転される。これにより、搬送払出連動装置が作動して払出装置が駆動され、払出前保留部に積み重ねられた紙幣が一括して払出口へ向けて送り出される。
払出装置の作動に連動してシャッタ装置の回転軸が払出口に向かって回転するので、一括して送り出される紙幣が紙幣通路に位置するレバーを押した場合、レバーはワンウエイクラッチによって開放位置に移動され、紙幣が一括して払出口へ送り出される。
【００１３】
したがって、払出装置は、搬送装置の逆転によって駆動されるので専用の駆動装置を必要としない。
また、払出装置の動作に基づいてシャッタ装置の回転軸が回転されてレバーが払い出される紙幣に押し出されて解放位置に移動する。
そして、払い出される紙幣は、レバーを回動させて払出口に払い出される。
したがって、シャッタ装置のレバーの開放位置への移動は、払出装置の作動に基づいて可能になる。
【００１４】
このため、払出装置が作動しない場合、シャッタ装置のレバーが開放位置へ移動することが無いので払出装置のトラブル時に紙幣が不正に抜き取られることが無い利点がある。
さらに、シャッタ装置のレバーは回動であるので、前述のように設置スペースが小さい利点がある。
【００１５】
請求項３の発明は、前記搬送払出連動装置が、搬送装置を駆動する回転軸、前記回転軸の正転時に駆動連結せず、逆転時に前記搬送装置と前記払出装置とを駆動連結するクラッチを含むシャッタ装置を備えた紙幣一括払出装置である。
この構成において、搬送装置を駆動する回転軸が正転する場合、払出装置が駆動される。
したがって、払出装置は搬送払出連動装置によって搬送装置から駆動されるので、払出装置用の駆動装置を新たに設ける必要がないので、小型かつ安価である。
【００１６】
請求項４の発明は、前記クラッチは、前記回転軸に固定されたドライブギヤ、前記回転軸に支持され、かつ、回動可能なレバー、前記レバーに回転自在に取り付けられ、かつ、前記ギヤと噛み合うピニオンギヤ、前記ピニオンギヤと噛み合い可能、かつ、前記払出装置に駆動連結されたドリブンギヤ、及び前記レバーを回動するアクチュエータを含むシャッタ装置を備える紙幣一括払出装置である。
【００１７】
この構成により、払出装置は、搬送装置の回転軸が逆転し、かつ、アクチュエータが作動してレバーを回動させてピニオンギヤがドリブンギヤに噛み合うことにより初めて払出運動を行う。
さらに、この払出装置の払出運動によってシャッタ装置のレバーが解放位置に移動可能になる。
したがって、払出装置が作動しない場合、シャッタ装置のレバーも解放位置に移動しない。
よって、シャッタ装置のレバーが解放位置に移動せずに払出装置で無理に払い出すことによる紙幣ジャムを防止できる。
【００１８】
【発明の実施の形態】
図１は、本発明の実施例の紙幣一括払出装置を装着した紙幣払出装置の概略図である。
図２は、本発明の実施例のシャッタ装置を装着した紙幣一括払出装置の平面図である。
図３は、本発明の実施例のシャッタ装置を装着した紙幣一括払出装置の正面図である。
図４は、図２中Ａ―Ａ線断面図である。
図５は、図２中Ｂ―Ｂ線断面図である。
図６は、本発明実施例の搬送払出連動装置の作動説明図である。
図７は、実施例のシャッタ装置のワンウエイクラッチの説明図である。
【００１９】
紙幣払出装置１において、紙幣保留部２に積層貯留した紙幣４を送り出し装置５によって一枚ずつ保留部２から送り出した後、搬送装置６によって一括払出装置８に搬送して払出前保留部１２に一時保留し、一時保留した紙幣４を一括して払出口１３に払い出す。
搬送装置６は、ベルトやローラによって構成される公知の搬送装置であり、モータ７によって正転或いは逆転される。
【００２０】
次に一括払出装置８を説明する。
一括払出装置８は、複数枚の紙幣４を一時保留部１２に一時保留し、一時保留した紙幣４を一括して払出口１３に払い出す機能を有している。
一括払出装置８は、一つのユニットとして構成され、紙幣の払出前保留部１２、払出装置１４、及びシャッタ装置１６を含んでいる。
まず、払出前保留部１２を説明する。
払出前保留部１２は、搬送装置６によって送り出される紙幣４を積層して保留する機能を有している。
【００２１】
したがって、払出前保留部１２は、同じ機能を有している他の装置に変更することができる。
本実施例の払出前保留部１２は、水平に位置する底板１８、底板１８の上方に所定の間隔で平行に配置された天板２０及びその両サイドに配置された側板２２、２４によって囲まれている。
払出前保留部１２、換言すれば、底板１８の大きさは、払い出す紙幣とほぼ同じ大きさであり、平板状である。
【００２２】
払出前保留部１２の入口部２６には、搬送装置６の一部である搬送ローラ２８及びプレスローラ２９が配置され、紙幣４はそれら搬送ローラ２８とプレスローラ２９に挟持されて払出前保留部１２に送り込まれる。
なお、プレスローラ２９に代えて板バネで搬送ローラ２８に紙幣４を押し付けることができる。
送り込まれた紙幣４は、天板２０に一端を固定され、底板１８に対して傾斜した傾斜部２３及び底板１８に近接して平行に配置された押さえ部３１を有する板バネ３２によって案内され、押さえ部３１によって底板１８側に押し付けられて積層状態で払出前保留部１２に保留される。
【００２３】
払出前保留部１２に続いて紙幣通路３３が形成され、紙幣通路３３の端部が払出口１３になっている。
紙幣通路３３は、図示するように払出前保留部１２から上方に斜めに伸びた後、水平に形成することが良い。
【００２４】
次に払出装置１４を説明する。
払出装置１４は、払出前保留部１２に一時保留した紙幣４を紙幣通路３３を通って払出口１３に送り出す機能を有している。
したがって、払出装置１４は、同じ機能を有している他の装置に変更することができる。
本実施例の払出装置１４は、押出装置３４、押出駆動装置３６及び搬送払出連動装置３８を含んでいる。
【００２５】
次に押出装置３４を説明する。
押出装置３４は、払出前保留部１２に積層保留された紙幣４を一括して押し出す機能を有している。
したがって、押出装置３４は、同じ機能を有している他の装置に変更することができる。
図３に示すように、本実施例の押出装置３４は、底板１８の下方の側板２２、２４に形成した底板１８に平行な長孔４０、及び、長孔４０にスライド可能に配置されたスライダ４２を含んでいる。
【００２６】
スライダ４２は、底板１８に沿って移動可能なステー４４、及びステー４４の端部から垂直上方に側板２２に沿って立ち上がる被動プレート４６を有する。
ステー４４の左端部は垂直上方に立ち上がり、板バネ３２の両サイドに位置する押出片４６を構成している。
押出片４６は、底板１８に形成された通孔４８（図５）を通って払出前保留部１２の長手方向に往復移動可能である。
被動プレート４６の上部には、一対の被動ピン４７Ｆ及び４７Ｂが所定の間隔で固定されている。
【００２７】
次に押出駆動装置３６を説明する。
押出駆動装置３６は、押出装置３４を払出前保留部１２の長手方向に沿って所定位置の間を往復移動させる機能を有する。
したがって、押出駆動装置３６は、同じ機能を有している他の装置に変更することができる。
【００２８】
本実施例の押出駆動装置３６は、側板２２に取り付けられた回転軸５０、側板２２から突出した端部に固定されたタイミングプーリ５２、払出口１３の近傍の側板２２に回転可能に取り付けられた従動軸５４、従動軸５４の側板２２から突出した端部に固定したタイミングプーリ５６、タイミングプーリ５２と５６との間に巻き付けたタイミングベルト５８及びタイミングベルト５８の外周面に突出している押動片６０を含んでいる。
【００２９】
押動片６０は、タイミングプーリ５２、５６の上側に位置する場合、被動ピン４７Ｆを図３において左方へ押し、払出前保留部１２の紙幣４を押出片４６によって押動し、スライダ４２を押出位置に移動させることができる。
押動片６０は、スライダ４２を押出位置に移動させた後、タイミングプーリ５６に沿って回動するため、被動ピン４７Ｆから外れベルト５８の下側に位置する。
【００３０】
押出片６０が下方に位置した場合、被動ピン４７Ｂを図３において左方へ押動してスライダ４２を図５に示す待機位置へ移動させて後、被動ピン４７Ｂから外れ、タイミングプーリ５２を回り込んだところで図示しないセンサに検知されて停止される。
払出前保留部１２に保留された紙幣４は、一括して払出装置１４によって払出口１３に払い出される。
したがって、被動ピン４７Ｆ及び４７Ｂは、図２に示すように、斜めの直線上に位置している。
【００３１】
次に搬送払出連動装置３８を説明ずる。
搬送払出連動装置３８は、搬送装置６の駆動を押出駆動装置３６に伝える機能を有している。
したがって、搬送払出連動装置３８は、同じ機能を有している他の装置に変更することができる。
【００３２】
本実施例の搬送払出連動装置３８は、図４及び５に示すように、搬送ローラ２８が固定された回転軸６２にワンウエイクラッチ（図示せず）を介して取り付けたドライブギヤ６４、回転軸６２に一端を回動可能に支持され、他端に回転自在なピニオンギヤ６６を有するレバー６８、ドライブギヤ６４に噛み合っているピニオンギヤ６６、回転軸５０に固定されたドリブンギヤ７０、レバー６８を回動させてピニオンギヤ６６をドリブンギヤ７０に噛み合わせるリンク７２及びリンク７２を駆動するソレノイド７４を含んでいる。
【００３３】
ソレノイド７４は、搬送装置６の駆動モータ７の逆転と連動してオンにされ、リンク７２を介してピニオンギヤ６６を移動させてドリブンギヤ７０に噛み合わせる。
これにより、払出駆動装置３６が搬送装置６から駆動されるようになる。
リンク７２は、固定軸７６に回動可能なレバー７８、レバー７８に形成したカム溝８０及びレバー７８の先端部に固定され、一部が前記カム溝８０に挿入されたピン８２を含んでいる。
【００３４】
次にシャッタ装置１６を説明する。
シャッタ装置１６は、搬送装置６によって高速で払出前保留部１２に送り込まれた紙幣４が払出口１３に飛び出さないようにする機能を有している。
図２に示すように、シャッタ装置１６は、前記従動軸５４に固定したギヤ８６に噛み合うギヤ８８が固定された回転軸９０に取り付けたワンウエイクラッチ９２、ワンウエイクラッチ９２に固定したシャッタレバー９４及びシャッタレバー９４を付勢する付勢手段であるスプリング９６含んでいる。
【００３５】
回転軸９０は、両端部を天板２０の上側に固定した軸受９８、１００に回転自在に支持されている。
図７に示すように、ワンウエイクラッチ９２は、回転軸９０に固定されたインナーレース１０２、アウターレース１０４、ロッカーとしてのボール１０６、ボール１０６の付勢手段であるスプリング１０８及びスプリング受１１０を含んでいる。
【００３６】
インナーレース１０２を囲うように位置するリング状のアウターレース１０４の内面に、Ｕ形の保持溝１１２が形成されている。
保持溝１１２は、ボール１０８の直径よりもインナーレース９０の外周面から離れている開放壁１１４及びその開放壁１１４からインナーレース１０２に近づくように傾斜するロック壁１１６が形成されている。
【００３７】
この保持溝１１２にボール１０６を配置し、スプリング受１１０とボール１０６との間にスプリング１０８を配置し、ボール１０６をロック壁１１６に向けて付勢している。
アウターレース１０４はシャッタレバー９４の上端部の嵌合孔１１８にはめ込んで固定され、下端部は天板２０の通孔１２０から紙幣通路３３に突入している。
また、シャッタレバー９４と軸受９８との間にフックしたスプリング９６により
シャッタレバー９４は、図５において時計方向に付勢されている。
ワンウエイクラッチ９２は、以下のように設定されている。
【００３８】
図５において、回転軸９０が回転されない状態でシャッタレバー９４が反時計方向に力を受けた場合、図７（Ａ）に示すように、アウターレース１０４も同方向に回動されるので、ボール１０６がロック壁１１６とインナーレース１０２との間に食い込むので、回動することが出来ない。
換言すれば、回動軸９０が払出口１３側に回転しない場合、シャッタレバー９４は、払出口１３側に回動することができない。
【００３９】
シャッタレバー９４が時計方向に回動された場合、ボール１０６は解放壁１１４側に相対移動するので、回動可能である。
したがって、シャッタレバー９４は、スプリング９６によって回動され、天板２０に形成した通孔１２０の端部であるストッパ１２２によって阻止されて静止している。
このシャッタレバー９４の位置が閉止位置１２４である。
シャッタレバー９４の回動力は、おもりによって与えることが出来る。
閉止位置１２４において、シャッタレバー９４の下端は、底板１８の上面に並置され、底板１８から僅かに突出する台形状の一対の紙幣ガイド１２６の間に位置している。
【００４０】
この紙幣ガイド１２６は、紙幣通路３３をシャッタレバー９４に確実に閉止するために形成したものであるので、底板１８に長孔を形成し、その長孔にシャッタレバー９４の下端部が位置するようにしてもよい。
また、回転軸９０が図５において反時計方向に回転し、かつ、シャッタレバー９４が反時計方向に回動される場合、図７（Ｂ）に示すように、ボール１０６は相対的に解放壁１１４側に移動するので、シャッタレバー９４が反時計方向に回動し、図６に示すように紙幣ガイド１２６とシャッタレバー９４との間を紙幣４が通過可能になる。
この位置がシャッタレバー９４の解放位置１２８である。
【００４１】
次に本実施例の作用を説明する。
４枚の真紙幣４を払い出すケースを説明する。
モーター７が回転し、紙幣４が送り出し装置５によって一枚、紙幣保留部２から送り出され、搬送装置６によって払出前保留部１２に送り込まれる。
すなわち、紙幣４は、搬送ローラ２８とプレスローラ２９によって挟持されて払出前保留部１２に送り込まれる。
【００４２】
この時、紙幣４の先端は板バネ３２の根本の傾斜部２３によって案内されて底板１８と押圧部３１との間に誘導される。
高速で送り込まれた紙幣４の先端は、シャッタレバー９４に衝突する。
これにより、シャッタレバー９４は図５において反時計方向の回動力を受けるが、回転軸９０は回転されていないので、図７（Ａ）に示すように、アウターレース１０４のロック壁１１６がボール１０６を食い込むように動くので、シャッタレバー９４は回動しない。
【００４３】
これにより、払出前保留部１２に送り込まれた紙幣４は、払出口１３に飛び出すことがない。
前述の紙幣送り出しが繰り返され、紙幣４が四枚送り出され、払出前保留部１２に一時保留された場合、モータ７は停止する。
これにより、保留部２からの紙幣４の払出は終了する。
【００４４】
次いで、ソレノイド７４が励磁され、プランジャ７５が突出するので、リンク７２を介してレバー７８が図４において反時計方向に回動され、カム溝８０及びピン８２を介してレバー６８が時計方向に回動される。
これによって、ピニオンギヤ６６がドリブンギヤ７０に噛み合う。
次いで、モータ７が逆転され、回転軸６２が図４において時計方向へ回転する。
これによって、ドライブギヤ６４は図示しないワンウエイクラッチを介して同方向に回転されるので、ピニオンギヤ６６、ドリブンギヤ７０を介して回転軸５０が時計方向へ回転する。
【００４５】
したがって、タイミングプーリ５２も同方向へ回転するのでタイミングベルト５８は同方向へ循環する。
ベルト５８の移動により、押動片６０が被動ピン４７Ｆを押すので、スライダ３４は図５において右方へ移動される。
この移動によって、押出片４６は紙幣４の左端部を押して紙幣通路３３を右方へ押し進める。
【００４６】
この移動途中、紙幣４の先端は、シャッタレバー９４を図５において反時計方向へ押す。
このとき従動軸５４は時計方向へ回転しているので、ギヤ８６及び８８を介して回転軸９０は図７（Ｂ）に示すように、反時計方向へ回動しているので、ボール１０６は相対的に解放壁１１４側に移動する。
これにより、シャッタレバー９４は反時計方向へ回動して解放位置１２８に移動するので、紙幣４の先端部はシャッタレバー９４の下端と紙幣ガイド１２６の間を通って払出口１３に突出する。
【００４７】
紙幣４の先端が払出口１３から所定量突出した場合、押動片６０が前述のように被動ピン４７Ｆから外れた後、被動ピン４７Ｂを押す。
これにより、被動ピン４７Ｂ、被動プレート４６を介してスライダ３４は図５において左方へ図５に示す実線位置まで移動される。
この直後、押動片６０は、被動ピン４７Ｂから外れた後、図示しないセンサで検知されてモータ７が停止される。
これにより、紙幣４の一括払出が終了する。
【００４８】
【発明の効果】
本発明において、レバーが回動して紙幣通路の閉止位置と開放位置に移動するので、その移動スペースは小さい。
換言すれば、レバーの回動中心である回転軸よりも反対側に移動せずとも紙幣が払い出されるので、紙幣飛び出し防止のための占有スペースが小さい利点がある。
結果として、紙幣一括払出装置を小型化することができる。
また、回転軸、ワンウエイクラッチ及びレバーの組み合わせであるので、構造が簡単であり、安価である。
【００４９】
さらに、払出装置は搬送装置の逆転によって駆動されるので専用の駆動装置を必要としない。
さらにまた、シャッタ装置のレバーの開放位置への移動は、払出装置の作動に基づいて可能になる。
これにより、払出装置が作動しない場合、シャッタ装置のレバーが開放位置へ移動することが無いので払出装置のトラブル時に紙幣が不正に抜き取られることが無い利点がある。
【００５０】
また、払出装置は搬送払出連動装置によって搬送装置から駆動されるので、払出装置用の駆動装置を新たに設ける必要がないので、小型かつ安価である。
さらに、払出装置が作動しない場合、シャッタ装置のレバーも解放位置に移動しない。
よって、シャッタ装置のレバーが解放位置に移動せずに払出装置で無理に払い出すことによる紙幣ジャムを防止できる。
【００５１】
【図面の簡単な説明】
【図１】図１は、本発明の実施例の紙幣一括払出装置を装着した紙幣払出装置の概略図である。
【図２】図２は、本発明の実施例のシャッタ装置を装着した紙幣一括払出装置の平面図である。
【図３】図３は、本発明の実施例のシャッタ装置を装着した紙幣一括払出装置の正面図である。
【図４】図４は、図２中Ａ―Ａ線断面図である。
【図５】図５は、図２中Ｂ―Ｂ線断面図である。
【図６】図６は、本発明実施例の搬送払出連動装置の作動説明図である。
【図７】図７は、実施例のシャッタ装置のワンウエイクラッチの説明図である。
【符号の説明】
２  保留部
４  紙幣
６  搬送装置
１３  払出口
１４  払出装置
１６  シャッタ装置
３２  紙幣通路
３８  搬送払出連動装置
６２  回転軸
６４  ドライブギヤ
６６  ピニオンギヤ
６８  レバー
７０  ドリブンギヤ
７１  クラッチ
７４  アクチュエータ
９０  回転軸
９２  ワンウエイクラッチ
９４  レバー
１２４  閉止位置
１２８  開放位置
【図１】
2004348603.tif 000003
【図２】
2004348603.tif 000004
【図３】
2004348603.tif 000005
【図４】
2004348603.tif 000006
【図５】
2004348603.tif 000007
【図６】
2004348603.tif 000008
【図７】
2004348603.tif 000009